(57)【要約】【課題】有用性を向上させた電力制御装置、電力制御装置の制御方法、及び電力制御システムを提供する。【解決手段】電力制御装置は、インバータと、スイッチ回路と、制御部と、を備える。インバータは、分散電源及び蓄電池から供給される直流電力を交流電力に変換する。スイッチ回路は、インバータと蓄電池とを通電可能に接続する。制御部は、蓄電池とインバータとの接続又は切り離しを行う際に、蓄電池の電圧に基づいて、スイッチ回路とインバータとを結ぶ電路の電圧を制御する。制御部は、蓄電池の電圧と電路の電圧とに基づいて、スイッチ回路を制御する。【選択図】図１
2020068583.tif 000002
【特許請求の範囲】
【請求項１】
分散電源及び蓄電池から供給される直流電力を交流電力に変換するインバータと、
前記蓄電池と前記インバータとを通電可能に接続するスイッチ回路と、
制御部と、
を備え、
前記制御部は、
前記蓄電池と前記インバータとの接続又は切り離しを行う際に、前記蓄電池の電圧に基づいて、前記インバータと前記スイッチ回路とを結ぶ電路の電圧を制御し、
前記蓄電池の電圧と前記電路の電圧とに基づいて、前記スイッチ回路を制御する、
電力制御装置。
【請求項２】
前記制御部は、前記インバータの変調率を制御して、前記インバータと前記スイッチ回路とを結ぶ前記電路の電圧を制御する、請求項１に記載の電力制御装置。
【請求項３】
前記スイッチ回路には、半導体スイッチと、前記半導体スイッチと直列に接続された第１の機械式スイッチが含まれ、
前記制御部は、前記半導体スイッチがオフにされた状態で、前記第１の機械式スイッチを制御する、請求項１又は２に記載の電力制御装置。
【請求項４】
前記スイッチ回路には、更に、前記半導体スイッチに対して並列に接続された第２の機械式スイッチが含まれ、
前記制御部は、前記半導体スイッチがオンにされた状態で、前記第２の機械式スイッチを制御する、請求項３に記載の電力制御装置。
【請求項５】
分散電源及び蓄電池から供給される直流電力を交流電力に変換するインバータと、
前記蓄電池と前記インバータとを通電可能に接続するスイッチ回路と、
制御部と、
を備える電力制御装置の制御方法であって、
前記蓄電池と前記インバータとの接続又は切り離しを行う際に、前記蓄電池の電圧に基づいて、前記インバータと前記スイッチ回路とを結ぶ電路の電圧を制御するステップと、
前記蓄電池の電圧と前記電路の電圧とに基づいて、前記スイッチ回路を制御するステップと、
を含む、制御方法。
【請求項６】
分散電源と、
蓄電池と、
前記分散電源及び前記蓄電池から供給される直流電力を交流電力に変換するインバータ、前記蓄電池と前記インバータとを通電可能に接続するスイッチ回路、並びに制御部を備える電力制御装置と、
を含み、
前記電力制御装置は、
前記蓄電池と前記インバータとの接続又は切り離しを行う際に、前記蓄電池の電圧に基づいて、前記インバータと前記スイッチ回路とを結ぶ電路の電圧を制御し、
前記蓄電池の電圧と前記電路の電圧とに基づいて、前記スイッチ回路を制御する、
電力制御システム。
【発明の詳細な説明】
【技術分野】
【０００１】
本開示は、電力制御装置、電力制御装置の制御方法、及び電力制御システムに関する。
【０００２】
従来、太陽電池等の分散電源及び蓄電池からの直流電力を交流電力に変換する電力制御システムが知られている。このような電力制御システムの有用性を向上させる技術として、例えば、特許文献１には、太陽電池をＤＣ／ＤＣコンバータを介してインバータに結合した電力制御システムにおいて、ＤＣ／ＤＣコンバータとインバータとの間の中間リンクに、ＤＣ／ＤＣコンバータを介さずに蓄電池を直接接続する構成が開示されている。
【先行技術文献】
【特許文献】
【０００３】
【特許文献１】特開２０１２−１４７５０８号公報
【発明の概要】
【発明が解決しようとする課題】
【０００４】
しかしながら、蓄電池をＤＣ／ＤＣコンバータを介さずに、中間リンクに直接接続する構成を有する電力制御システムにおいて、システム運転中に、中間リンクとの蓄電池の接続又は切り離しを行うと、中間リンクの電圧と蓄電池の電圧との電圧差による、突入電流、又はアーク放電が発生する蓋然性があった。そのため、電力制御システムを運転させたまま、蓄電池の交換又はメンテナンス等を行うことが困難であった。
【０００５】
かかる事情に鑑みてなされた本開示の目的は、システム運転中に、中間リンクとの蓄電池の接続又は切り離しを実施可能として、有用性を向上させた電力制御装置、電力制御装置の制御方法、及び電力制御システムを提供することである。
【課題を解決するための手段】
【０００６】
本開示の実施形態に係る電力制御装置は、インバータと、スイッチ回路と、制御部と、を備える。前記インバータは、分散電源及び蓄電池から供給される直流電力を交流電力に変換する。前記スイッチ回路は、前記蓄電池と前記インバータとを通電可能に接続する。前記制御部は、前記蓄電池と前記インバータとの接続又は切り離しを行う際に、前記蓄電池の電圧に基づいて、前記インバータと前記スイッチ回路とを結ぶ電路の電圧を制御する。前記制御部は、前記蓄電池の電圧と前記電路の電圧とに基づいて、前記スイッチ回路を制御する。
【０００７】
本開示の実施形態に係る電力制御装置の制御方法は、分散電源及び蓄電池から供給される直流電力を交流電力に変換するインバータと、前記蓄電池と前記インバータとを通電可能に接続するスイッチ回路と、制御部と、を備える電力制御装置の制御方法である。前記制御方法は、前記蓄電池と前記インバータとの接続又は切り離しを行う際に、前記蓄電池の電圧に基づいて、前記インバータと前記スイッチ回路とを結ぶ電路の電圧を制御するステップを含む。前記制御方法は、前記蓄電池の電圧と前記電路の電圧とに基づいて、前記スイッチ回路を制御するステップを含む。
【０００８】
本開示の実施形態に係る電力制御システムは、分散電源と、蓄電池と、電力制御装置とを含む。前記電力制御装置は、前記分散電源及び前記蓄電池から供給される直流電力を交流電力に変換するインバータ、前記蓄電池と前記インバータとを通電可能に接続するスイッチ回路、並びに制御部を備える。前記電力制御装置は、前記蓄電池と前記インバータとの接続又は切り離しを行う際に、前記蓄電池の電圧に基づいて、前記インバータと前記スイッチ回路とを結ぶ電路の電圧を制御する。前記電力制御装置は、前記蓄電池の電圧と前記電路の電圧とに基づいて、前記スイッチ回路を制御する。
【発明の効果】
【０００９】
本開示の実施形態に係る電力制御装置、電力制御装置の制御方法、及び電力制御システムによれば、電力制御装置の有用性が向上する。
【図面の簡単な説明】
【００１０】
【図１】本開示の一実施形態に係る電力制御システムの概略構成図である。
【図２】図１に示す蓄電池の接続処理における、電圧の時系列変化を示したグラフである。
【図３】図１に示す蓄電池の接続処理における、電力制御装置の処理フロー図である。
【図４】図１に示す蓄電池の切り離し処理における、電圧の時系列変化を示したグラフである。
【図５】図１に示す蓄電池の切り離し処理における、電力制御装置の処理フロー図である。
【図６】本開示の他の実施形態に係る電力制御システムの概略構成図である。
【図７】本開示の他の実施形態に係る電力制御システムの概略構成図である。
【図８】本開示の他の実施形態に係る電力制御システムの概略構成図である。
【図９】本開示の他の実施形態に係る電力制御システムの概略構成図である。
【発明を実施するための形態】
【００１１】
（電力制御システムの構成）
図１は、本開示の一実施形態に係る電力制御システム１の一例を示す概略構成図である。本実施形態に係る電力制御システム１は、電力制御装置１０、太陽電池２、及び蓄電池３を含む。図１において、電力制御装置１０は、太陽電池２及び蓄電池３のそれぞれと電力線で通電可能に接続されている。また、電力制御装置１０は、電力系統６０と電力線で通電可能に接続されている。図１において、電力線は実線で示される。電力制御装置１０は、太陽電池２及び蓄電池３のそれぞれと有線又は無線によって、通信可能に接続されてもよい。
【００１２】
電力制御装置１０は、パワーコンディショナ、或いはＰＣＳ（Power Conditioning System）である。電力制御装置１０は、太陽電池２又は蓄電池３から供給される直流電力を交流電力に変換して電力系統４に供給する。電力制御装置１０は、太陽電池２から供給される直流電力を蓄電池３に充電させてもよい。或いは、電力制御装置１０は、電力系統４から供給される交流電力を直流電力に変換して蓄電池３に充電させてもよい。
【００１３】
太陽電池２は、太陽光から直流電力を発電する。本実施形態においては、直流電力を放電する分散電源の例として、太陽電池２を記載しているが、これに限られるものではない。例えば、太陽電池２の代替として、太陽熱発電装置、風力発電装置、燃料電池、及び蓄電池等が用いられてもよい。
【００１４】
蓄電池３は、電力の充放電を行う。蓄電池３は、電力制御装置１０の制御に基づいて、電力の充電又は放電等を含む動作を実施してもよい。蓄電池３は、例えば、鉛蓄電池、ニッケル水素蓄電池、リチウムイオン電池、ナトリウム硫黄電池、又はこれらの組み合わせ等の任意の蓄電池を含んでもよい。
【００１５】
本開示の一実施形態に係る電力制御システム１において、電力制御装置１０に、太陽電池２及び蓄電池３がそれぞれ１つずつ通電可能に接続されている構成を例に挙げて説明するが、この構成に限られない。電力制御システム１に含まれる、分散電源の個数及び構成は、それぞれ任意に定められてもよい。以下に、電力制御システム１に含まれる電力制御装置１０の詳細を説明する。
【００１６】
（電力制御装置の構成）
以下に、本開示の一実施形態に係る電力制御装置１０の概略構成を説明する。図１に示すように、電力制御装置１０は、制御部１１、記憶部１２、通信部１３、インバータ１４、ＤＣ／ＤＣコンバータ１５、スイッチ回路１６、電圧計１７、電流計１８、及びヒューズ１９を備える。
【００１７】
制御部１１は、電力制御装置１０の各機能を実現するための制御及び処理能力を提供する１つ以上のプロセッサである。制御部１１は、制御手順を規定したプログラムを実行するＣＰＵ（Central Processing Unit）等のプロセッサ又は各機能の処理に特化した専用のプロセッサで構成されてもよい。
【００１８】
制御部１１は、上述した電力制御装置１０の各機能と有線又は無線により通信可能に接続され、これらの機能部をはじめとして電力制御装置１０の全体または一部を制御及び管理する。制御部１１は、記憶部１２に記憶されているプログラムを取得して、このプログラムを実行することにより、電力制御装置１０の各機能に係る種々の機能を実現する。制御部１１が行う本実施形態に特徴的な制御については、さらに後述する。
【００１９】
記憶部１２は、例えば半導体メモリ、磁気メモリ又は光メモリ等を備える。記憶部１２は、例えば主記憶装置又は補助記憶装置として機能してもよい。記憶部１２は、制御部１１に含まれるプロセッサのキャッシュメモリ等であってもよい。また、記憶部１２は、揮発性の記憶装置であってもよく、不揮発性の記憶装置であってもよい。記憶部１２は、電力制御装置１０の各機能を実現するための制御及び処理に用いられる情報及びプログラムを記憶する。記憶部１２は、例えば、後述する蓄電池３の接続及び切り離しの制御に用いられる情報を記憶してもよい。
【００２０】
通信部１３は、制御部１１の制御に基づいて、電力制御システム１に含まれる他の機器と通信を行う。通信部１３は、例えば、ＣＡＮ（Controller Area Network）通信モジュール、有線ＬＡＮ（Local Area Network）通信モジュール又は無線ＬＡＮ通信モジュール等を備えてもよい。図１において、電力制御装置１０の通信部１３は、電力制御システム１に含まれる太陽電池２及び蓄電池３のそれぞれと有線又は無線によって通信可能に接続されている。
【００２１】
インバータ１４は、太陽電池２及び蓄電池３から供給される直流電力を交流電力に変換する。インバータ１４は、ＤＣ／ＤＣコンバータ１５を介して、太陽電池２と電力線で通電可能に接続されてもよい。また、インバータ１４は、スイッチ回路１６を介して、蓄電池３と電力線で通電可能に接続されてもよい。本開示において、インバータ１４とＤＣ／ＤＣコンバータ１５とを結ぶ電路を中間リンクともいう。インバータ１４は、双方向インバータであってもよい。インバータ１４が双方向インバータである場合、インバータ１４は、電力系統４から供給される交流電力を直流電力に変換する。
【００２２】
インバータ１４は、制御部１１の制御に基づいて、インバータ１４の変調率を制御してもよい。変調率は、インバータ１４へ入力される直流電力の電圧の値に対するインバータ１４から出力される交流電力の電圧の実行値の比であってもよい。インバータ１４は、制御部１１の制御に基づいて、変調率を変えることで、インバータ１４への入力電圧、即ち中間リンクの電圧の電圧値を制御してもよい。インバータ１４は、交流電力の電圧の実行値を変えずに変調率を小さくすることで、インバータ１４への入力電圧を高くしてもよい。インバータ１４は、交流電力の電圧の実行値を変えずに変調率を大きくすることで、インバータ１４への入力電圧を低くしてもよい。
【００２３】
ＤＣ／ＤＣコンバータ１５は、太陽電池２から供給される直流電力を、例えば、インバータ１４の定格電圧の範囲内である電圧に昇圧する。ＤＣ／ＤＣコンバータ１５は、制御部１１の制御に基づいて、太陽電池２から供給される直流電力の昇圧比を制御してもよい。具体的には、ＤＣ／ＤＣコンバータ１５は、制御部１１によって制御されたインバータ１４の変調率に基づいて、ＤＣ／ＤＣコンバータ１５の昇圧比を制御してもよい。これによって、制御部１１は、電力制御装置１０の中間リンクの電圧を制御してもよい。複数の太陽電池２が電力制御装置１０に通電可能に接続される場合には、複数のＤＣ／ＤＣコンバータ１５が、複数の太陽電池２のそれぞれに対して１つずつ設けられてもよい。
【００２４】
スイッチ回路１６は、蓄電池３とインバータ１４とを通電可能に接続する。図１において、スイッチ回路１６は、蓄電池３及びインバータ１４のそれぞれと電力線で通電可能に接続されている。スイッチ回路１６とインバータ１４とを接続する電力線は、中間リンクに含まれてもよい。スイッチ回路１６は、制御部１１の制御に基づいて、中間リンクと蓄電池３とを通電可能に接続し、或いは切り離す。スイッチ回路１６は、ＦＥＴ（Field Effect Transistor，電界効果トランジスタ）等の半導体スイッチ２０と、電磁スイッチ等の機械式スイッチ２１とを備えてもよい。
【００２５】
半導体スイッチ２０は、例えば、ＭＯＳ型（Metal Oxide Semiconductor）又は接合型のＦＥＴであるが、これに限られず、バイポーラトランジスタ（Bipolar transistor）、サイリスタ及びＩＧＢＴ（Insulated Gate Bipolar Transistor）等の、半導体素子で電路をオン又はオフする任意のスイッチであってもよい。半導体スイッチ２０は、制御部１１の制御に基づいて、半導体素子に流れる電流の量を規制して、蓄電池３と電力制御装置１０との通電を可能にし、或いは通電を不可能にする。図１には、半導体スイッチ２０として、ＮチャネルのＭＯＳ型ＦＥＴがスイッチ回路１６に含まれる構成が記載されている。図１において、半導体スイッチ２０のドレイン端子がインバータ１４の正極端子に、ソース端子が蓄電池３の正極端子にそれぞれ通電可能に接続されている。
【００２６】
機械式スイッチ２１は、例えば電磁スイッチであるが、これに限られず、機械的に接点を開閉する任意のスイッチであってもよい。機械式スイッチ２１は、制御部１１の制御に基づいて、物理的に接点の開閉を行って、蓄電池３と電力制御装置１０との通電を可能にし、或いは通電を不可能にする。図１には、３つの機械式スイッチ２１Ａ、２１Ｂ、及び２１Ｃがスイッチ回路１６に含まれる構成が記載されている。以下、機械式スイッチ２１Ａ、２１Ｂ、及び２１Ｃを特に区別しない場合、単に、機械式スイッチ２１と総称する。
【００２７】
図１のスイッチ回路１６において、半導体スイッチ２０及び機械式スイッチ２１Ａは、インバータ１４の正極端子と蓄電池３の正極端子とを接続する電路において直列に接続されている。機械式スイッチ２１Ｂは、半導体スイッチ２０及び機械式スイッチ２１Ａと並列に接続されている。機械式スイッチ２１Ｃは、インバータ１４の負極端子と蓄電池３の負極端子とを結ぶ電路に設けられている。本開示において、半導体スイッチ２０と直列に接続された機械式スイッチ２１Ａを第１の機械式スイッチともいい、半導体スイッチ２０に対して並列に接続された機械式スイッチ２１Ｂを第２の機械式スイッチともいう。
【００２８】
電圧計１７は、制御部１１の制御に基づいて、電圧を計測する。電圧計１７は、電圧計又は電圧センサ等、電圧を計測可能な任意の装置であってもよい。電力制御装置１０は、中間リンクの電圧を計測するための第１電圧計１７Ａと、蓄電池３の電圧を計測するための第２電圧計１７Ｂとを備えてもよい。第１電圧計１７Ａ及び第２電圧計１７Ｂは、それぞれが計測した電圧の値を、制御部１１に送信する。
【００２９】
図１において、第１電圧計１７Ａは、インバータ１４と、ＤＣ／ＤＣコンバータ１５及びスイッチ回路１６との正極端子同士を結ぶ電力線と負極端子同士を結ぶ電力線との間に設けられている。しかしながら、これに限られず、第１電圧計１７Ａは、中間リンクの電圧を計測可能な任意の位置に設置されてもよい。また、第２電圧計１７Ｂは、蓄電池３の正極端子と負極端子との間に設けられている。しかしながら、これに限られず、第２電圧計１７Ｂは、蓄電池３の電圧を計測可能な任意の位置に設置されてもよい。
【００３０】
電流計１８は、制御部１１の制御に基づいて、電流を計測する。電流計１８は、電流計又は電流センサ等、電流を計測可能な任意の装置であってもよい。電力制御装置１０は、太陽電池２の出力電流を計測するための第１電流計１８Ａと、蓄電池３の充放電電流を計測するための第２電流計１８Ｂとを備えてもよい。第１電流計１８Ａ及び第２電流計１８Ｂは、それぞれが計測した電流の値を、制御部１１に送信する。
【００３１】
図１において、第１電流計１８Ａは、太陽電池２の正極端子とＤＣ／ＤＣコンバータ１５の正極端子との間に設けられている。しかしながら、これに限られず、第１電流計１８Ａは、太陽電池２の出力電流を計測可能な任意の位置に設置されてもよい。また、第２電流計１８Ｂは、蓄電池３の正極端子と半導体スイッチ２０のソース端子との間に設けられている。しかしながら、これに限られず、第２電流計１８Ｂは、蓄電池３の充放電電流を計測可能な任意の位置に設置されてもよい。本開示において、電流計１８によって計測される電流の値は、太陽電池２及び蓄電池３のそれぞれから電力制御装置１０に流れる電流の方向を正として説明する。従って、太陽電池２の出力電流及び蓄電池３の放電電流は正の値となり、蓄電池３の充電電流は、放電時とは逆の方向に電流が流れるため、負の値となる。
【００３２】
ヒューズ１９は、中間リンクと蓄電池３との間の電路に定格以上の電流が流入した際に、中間リンクと蓄電池３との通電を物理的に遮断する。これによって、ヒューズ１９は、中間リンクと蓄電池３との間の電路に突入電流が発生する蓋然性を低減させて、電力制御装置１０を保護する。
【００３３】
以下に、制御部１１による、蓄電池３の接続及び切り離しを行う際の、電力制御装置１０の各機能の制御について、説明する。
【００３４】
（蓄電池の接続処理）
制御部１１による、蓄電池３の接続処理について、説明する。図２に、蓄電池３の接続処理における、蓄電池３の電圧、及び中間リンクの電圧の時系列変化を示す。図２において、蓄電池３の電圧は実線で、中間リンクの電圧は破線で示されている。本処理は、電力制御装置１０の機械式スイッチ２１が全てオフとされている状態で開始されるものとする。即ち、蓄電池３と電力制御装置１０とは物理的に切り離されているものとする。また、半導体スイッチ２０はオフとされているものとする。これによって、半導体スイッチ２０には、電流が流れない。
【００３５】
制御部１１は、電圧計１７Ａによって、中間リンクの電圧を計測する。制御部１１は、電圧計１７Ｂによって、蓄電池３の電圧を計測する。制御部１１は、蓄電池３の接続処理において、所定のタイミングで、電圧計１７Ａ又は電圧計１７Ｂによって電圧を計測してもよい。所定のタイミングとは、例えば所定の時間間隔であってもよい。
【００３６】
時刻ｔ０において、蓄電池３の電圧は、機械式スイッチ２１が全てオフとされているため、蓄電池３の開放端電圧の値となる。図２には、時刻ｔ０において、中間リンクの電圧が蓄電池３の電圧よりも低い例が示されているが、これに限られず、時刻ｔ０における中間リンクの電圧は、任意の電圧であってもよい。
【００３７】
制御部１１は、蓄電池３の電圧に基づいて、中間リンクの電圧を制御する。即ち、制御部１１は、蓄電池３の電圧に基づいて、インバータ１４とスイッチ回路１６とを結ぶ電路の電圧を制御する。制御部１１は、インバータ１４の変調率を制御して、中間リンクの電圧を制御してもよい。例えば、制御部１１は、図２に示すとおり、時刻ｔ０において、蓄電池３の電圧よりも中間リンクの電圧が低い場合には、インバータ１４の変調率を小さくしてもよい。これによって、中間リンクの電圧が上昇する。一方で、時刻ｔ０において、蓄電池３の電圧よりも中間リンクの電圧が高い場合には、インバータ１４の変調率を大きくしてもよい。これによって、中間リンクの電圧が降下する。制御部１１は、インバータ１４の変調率の変化に伴って、ＤＣ／ＤＣコンバータ１５の昇圧比を制御してもよい。
【００３８】
制御部１１は、蓄電池３の電圧から所定の範囲内となるように、中間リンクの電圧を制御してもよい。所定の範囲は、例えば、半導体スイッチ２０の定格電圧の範囲内で設定されてもよい。制御部１１は、スイッチ回路１６に含まれる半導体スイッチ２０のドレイン電圧がソース電圧よりも高くなるように、中間リンクの電圧を制御してもよい。例えば、半導体スイッチ２０が図１に示すようにＭＯＳ型ＦＥＴである場合、半導体スイッチ２０のドレイン電圧がソース電圧よりも高くすることで、半導体スイッチ２０の寄生ダイオードに逆バイアスがかかり、電流が流れない。
【００３９】
制御部１１は、蓄電池３の電圧と中間リンクの電圧とに基づいて、スイッチ回路１６を制御する。制御部１１は、半導体スイッチ２０がオフにされた状態で、機械式スイッチ２１Ａを制御する。具体的には、制御部１１は、時刻ｔ１において、中間リンクの電圧が蓄電池３の電圧よりも所定の範囲内で高くなると、機械式スイッチ２１Ａ及び２１Ｃをオンにする。
【００４０】
制御部１１は、時刻ｔ２から、インバータ１４を制御して、インバータ１４の変調率を徐々に大きくする。これによって中間リンクの電圧が降下する。中間リンクの電圧が降下していき、時刻ｔ３において、中間リンクの電圧が蓄電池３の電圧よりも低くなると、蓄電池３から半導体スイッチ２０の寄生ダイオードを介して中間リンクへの放電電流が流れ始める。これによって、蓄電池３が放電モードとされてもよい。
【００４１】
制御部１１は、中間リンクの電圧が蓄電池３の電圧よりも低い状態で、半導体スイッチ２０をオンにする。例えば、半導体スイッチ２０のゲート電圧をソース電圧よりも十分に高くすることで、半導体スイッチ２０はオンとされてもよい。制御部１１は、半導体スイッチ２０がオンにされた状態で、機械式スイッチ２１Ｂを制御する。具体的には、制御部１１は、時刻ｔ４において、半導体スイッチ２０がオンにされている状態で、インバータ１４の変調率を小さくして、中間リンクの電圧を上昇させる。制御部１１は、中間リンクの電圧が蓄電池３の電圧よりも高くなって蓄電池３への僅かな充電電流が流れ始めることで、即ち、蓄電池３が放電モードから充電モードとされることで、蓄電池３の電圧と中間リンクの電圧とが略等しくなったと判定してもよい。蓄電池３の電圧と中間リンクの電圧とが略等しくなると、半導体スイッチ２０のオン抵抗が非常に小さいため、機械式スイッチ２１Ｂの両端の電圧差も略０Ｖとなる。制御部１１は、蓄電池３の電圧と中間リンクの電圧とが略等しくなった状態で、機械式スイッチ２１Ｂをオンにする。
【００４２】
その後、制御部１１は、時刻ｔ５において、半導体スイッチ２０をオフにし、機械式スイッチ２１Ａをオフにする。これによって、蓄電池３と電力制御装置１０とが通電可能に接続される。
【００４３】
（電力制御装置の処理例：蓄電池の接続処理）
図３を参照して、本発明の一実施形態に係る電力制御装置１０の、蓄電池３の接続処理の流れを説明する。本処理は、電力制御装置１０の機械式スイッチ２１が全てオフとされている状態で開始されるものとする。即ち、蓄電池３と電力制御装置１０とは物理的に切り離されているものとする。また、半導体スイッチ２０はオフとされているものとする。
【００４４】
ステップＳ１０１：制御部１１は、蓄電池３の電圧と、中間リンクの電圧とを測定する。ここで、中間リンクの電圧は、インバータ１４とスイッチ回路１６とを結ぶ電路の電圧であってもよい。
【００４５】
ステップＳ１０２：制御部１１は、蓄電池３の電圧に基づいて、中間リンクの電圧を蓄電池３の電圧よりも高くする。
【００４６】
ステップＳ１０３：制御部１１は、半導体スイッチ２０がオフにされた状態で、半導体スイッチ２０と直列に接続された機械式スイッチ２１Ａと、機械式スイッチ２１Ｃとをオンにする。
【００４７】
ステップＳ１０４：制御部１１は、蓄電池３の電圧に基づいて、中間リンクの電圧を蓄電池３の電圧よりも低くする。このとき、蓄電池３は放電モードとされ得る。
【００４８】
ステップＳ１０５：制御部１１は、半導体スイッチ２０をオンにする。
【００４９】
ステップＳ１０６：制御部１１は、蓄電池３の電圧に基づいて、中間リンクの電圧を蓄電池３の電圧と略等しくする。このとき、蓄電池３は充電モードとされ得る。
【００５０】
ステップＳ１０７：制御部１１は、半導体スイッチ２０がオンにされた状態で、半導体スイッチ２０に対して並列に接続された機械式スイッチ２１Ｂをオンにする。
【００５１】
ステップＳ１０８：制御部１１は、半導体スイッチ２０をオフにする。
【００５２】
ステップＳ１０９：制御部１１は、半導体スイッチ２０がオフにされた状態で、半導体スイッチ２０と直列に接続された機械式スイッチ２１Ａをオフにする。これによって、電力制御装置１０の機械式スイッチ２１Ｂと２１Ｃがオンとされる。即ち、蓄電池３と電力制御装置１０とが通電可能に接続される。
【００５３】
（蓄電池の切り離し）
制御部１１による、蓄電池３の切り離し処理について、説明する。図４に、蓄電池３の切り離し処理における、蓄電池３の電圧、及び中間リンクの電圧の時系列変化を示す。図４において、蓄電池３の電圧は実線で、中間リンクの電圧は破線で示されている。本処理は、電力制御装置１０の機械式スイッチ２１Ｂ及び２１Ｃがオンとされている状態で開始されるものとする。即ち、蓄電池３と電力制御装置１０とは通電可能に接続されているものとする。また、半導体スイッチ２０及び機械式スイッチ２１Ａはオフとされているものとする。
【００５４】
制御部１１は、電圧計１７Ａによって、中間リンクの電圧を計測する。制御部１１は、電圧計１７Ｂによって、蓄電池３の電圧を計測する。制御部１１は、蓄電池３の切り離し処理において、所定のタイミングで、電圧計１７Ａ又は電圧計１７Ｂによって電圧を計測してもよい。所定のタイミングとは、例えば所定の時間間隔であってもよい。
【００５５】
時刻ｔ’０において、制御部１１は、インバータ１４の変調率を制御して、中間リンクから蓄電池３への僅かな充電電流が流れる状態とすることで、蓄電池３の電圧と中間リンクの電圧とを略等しくする。これによって、蓄電池３が充電モードとされてもよい。
【００５６】
制御部１１は、半導体スイッチ２０がオフにされた状態で、半導体スイッチ２０と直列に接続された機械式スイッチ２１Ａを制御する。具体的には、制御部１１は、時刻ｔ’１において、機械式スイッチ２１Ａをオンにする。その後、制御部１１は、半導体スイッチ２０をオンにする。制御部１１は、半導体スイッチ２０がオンにされた状態で、並列に接続された機械式スイッチ２１Ｂを制御する。具体的には、制御部１１は、機械式スイッチ２１Ｂをオフにする。このとき、半導体スイッチ２０のオン抵抗が非常に小さく、機械式スイッチ２１Ｂの両端の電圧差は略０Ｖに維持される。そのため、機械式スイッチ２１Ｂをオフにする際に、アーク放電が発生する蓋然性は低い。
【００５７】
制御部１１は、時刻ｔ’２において、インバータ１４を制御して、インバータ１４の変調率を大きくする。これによって中間リンクの電圧が降下する。中間リンクの電圧が降下して、中間リンクの電圧が蓄電池３の電圧よりも低くなると、蓄電池３から半導体スイッチ２０の寄生ダイオードを介して中間リンクへの放電電流が流れ始める。これによって、蓄電池３が放電モードとされてもよい。
【００５８】
制御部１１は、中間リンクの電圧が蓄電池３の電圧よりも低い状態で、半導体スイッチ２０をオフにする。その後、制御部１１は、インバータ１４を制御して、インバータ１４の変調率を小さくする。これによって、中間リンクの電圧が上昇する。時刻ｔ’３において、中間リンクの電圧が蓄電池３の電圧よりも高くなると、半導体スイッチ２０の寄生ダイオードに順バイアスがかかる状態から、逆バイアスがかかる状態になる。そのため、時刻ｔ’３以降において、電力制御装置１０の中間リンクから蓄電池３への電流は流れない。
【００５９】
制御部１１は、中間リンクの電圧が蓄電池３の電圧よりも所定の値以上高くなると、時刻ｔ’４において、半導体スイッチ２０と直列に接続された機械式スイッチ２１Ａと、機械式スイッチ２１Ｃとをオフにする。これによって、スイッチ回路１６に含まれる全ての機械式スイッチ２１Ａ、２１Ｂ、及び２１Ｃがオフにされる。即ち、蓄電池３と電力制御装置１０とは物理的に切り離される。電力制御装置１０は、蓄電池３が切り離されたのちも、太陽電池２からの直流電力を交流電力に変換する処理を継続してもよい。
【００６０】
（電力制御装置の処理例：蓄電池の切り離し処理）
図５を参照して、本発明の一実施形態に係る電力制御装置１０の、蓄電池の切り離し処理の流れを説明する。本処理は、電力制御装置１０の機械式スイッチ２１Ｂ及び２１Ｃがオンにされている状態で開始されるものとする。即ち、蓄電池３と電力制御装置１０とが通電可能に接続されているものとする。また、半導体スイッチ２０及び機械式スイッチ２１Ａはオフとされているものとする。
【００６１】
ステップＳ２０１：制御部１１は、蓄電池３の電圧と、中間リンクの電圧とを測定する。ここで、中間リンクの電圧は、インバータ１４とスイッチ回路１６とを結ぶ電路の電圧である。
【００６２】
ステップＳ２０２：制御部１１は、インバータ１４の変調率を制御して、蓄電池３の電圧と中間リンクの電圧とを略等しくする。このとき、蓄電池３は充電モードとされ得る。
【００６３】
ステップＳ２０３：制御部１１は、半導体スイッチ２０がオフにされた状態で、半導体スイッチ２０と直列に接続された機械式スイッチ２１Ａをオンにする。
【００６４】
ステップＳ２０４：制御部１１は、半導体スイッチ２０をオンにする。
【００６５】
ステップＳ２０５：制御部１１は、半導体スイッチ２０がオンにされた状態で、半導体スイッチ２０に対して並列に接続された機械式スイッチ２１Ｂをオフにする。
【００６６】
ステップＳ２０６：制御部１１は、蓄電池３の電圧に基づいて、中間リンクの電圧を蓄電池の電圧よりも低くする。このとき、蓄電池３は放電モードとされ得る。
【００６７】
ステップＳ２０７：制御部１１は、半導体スイッチ２０をオフにする。
【００６８】
ステップＳ２０８：制御部１１は、蓄電池３の電圧に基づいて、中間リンクの電圧を蓄電池の電圧よりも高くする。
【００６９】
ステップＳ２０９：制御部１１は、半導体スイッチ２０がオフにされた状態で、半導体スイッチ２０と直列に接続された機械式スイッチ２１Ａと、機械式スイッチ２１Ｃとをオフにする。これによって、電力制御装置１０の全ての機械式スイッチ２１Ａ、２１Ｂ、及び２１Ｃがオフとされる。即ち、蓄電池３と電力制御装置１０とは物理的に切り離される。
【００７０】
（スイッチ回路の変形例１）
電力制御装置１０に含まれるスイッチ回路１６の構成は、上述した例に限られない。例えば、図６に、スイッチ回路１６の第１の変形例であるスイッチ回路１６−１を含む電力制御システム１を示す。図６のスイッチ回路１６−１には、１つの半導体スイッチ２０と、３つの機械式スイッチ２１Ａ、２１Ｂ、及び２１Ｃとが含まれている。スイッチ回路１６−１において、半導体スイッチ２０は、スイッチ回路１６と逆方向に接続されている。即ち、半導体スイッチ２０は、ソース端子がインバータ１４の正極端子に、ドレイン端子が蓄電池３の正極端子にそれぞれ通電可能に接続されている。半導体スイッチ２０及び機械式スイッチ２１Ａは、インバータ１４の正極端子と蓄電池３の正極端子とを接続する電路において直列に接続されている。機械式スイッチ２１Ｂは、半導体スイッチ２０及び機械式スイッチ２１Ａと並列に接続されている。機械式スイッチ２１Ｃは、インバータ１４の負極端子と蓄電池３の負極端子とを結ぶ電路に設けられている。
【００７１】
スイッチ回路１６−１を用いて、電力制御装置１０の中間リンクに蓄電池３を接続する処理の流れを説明する。本処理は、電力制御装置１０の機械式スイッチ２１が全てオフとされている状態で開始されるものとする。即ち、蓄電池３と電力制御装置１０とは物理的に切り離されているものとする。また、半導体スイッチ２０はオフとされているものとする。
【００７２】
ステップＳ３０１：制御部１１は、蓄電池３の電圧と、中間リンクの電圧とを測定する。
【００７３】
ステップＳ３０２：制御部１１は、蓄電池３の電圧に基づいて、中間リンクの電圧を蓄電池３の電圧よりも低くする。
【００７４】
ステップＳ３０３：制御部１１は、半導体スイッチ２０がオフにされた状態で、半導体スイッチ２０と直列に接続された機械式スイッチ２１Ａと、機械式スイッチ２１Ｃとをオンにする。
【００７５】
ステップＳ３０４：制御部１１は、蓄電池３の電圧に基づいて、中間リンクの電圧を蓄電池３の電圧よりも高くする。このとき、蓄電池３は充電モードとされ得る。
【００７６】
ステップＳ３０５：制御部１１は、半導体スイッチ２０をオンにする。
【００７７】
ステップＳ３０６：制御部１１は、蓄電池３の電圧に基づいて、中間リンクの電圧を蓄電池３の電圧と略等しくする。このとき、蓄電池３は放電モードとされ得る。
【００７８】
ステップＳ３０７：制御部１１は、半導体スイッチ２０がオンにされた状態で、半導体スイッチ２０に対して並列に接続された機械式スイッチ２１Ｂをオンにする。
【００７９】
ステップＳ３０８：制御部１１は、半導体スイッチ２０をオフにする。
【００８０】
ステップＳ３０９：制御部１１は、半導体スイッチ２０がオフにされた状態で、半導体スイッチ２０と直列に接続された機械式スイッチ２１Ａをオフにする。これによって、電力制御装置１０の機械式スイッチ２１Ｂと２１Ｃがオンとされる。即ち、蓄電池３と電力制御装置１０とが通電可能に接続される。
【００８１】
スイッチ回路１６−１を用いて、電力制御装置１０の中間リンクから蓄電池３を切り離す処理の流れを説明する。本処理は、電力制御装置１０の機械式スイッチ２１Ｂ及び２１Ｃがオンにされている状態で開始されるものとする。即ち、蓄電池３と電力制御装置１０とが通電可能に接続されているものとする。また、半導体スイッチ２０及び機械式スイッチ２１Ａはオフとされているものとする。
【００８２】
ステップＳ４０１：制御部１１は、蓄電池３の電圧と、中間リンクの電圧とを測定する。
【００８３】
ステップＳ４０２：制御部１１は、インバータ１４の変調率を制御して、蓄電池３の電圧と中間リンクの電圧とを略等しくする。このとき、蓄電池３は放電モードとされ得る。
【００８４】
ステップＳ４０３：制御部１１は、半導体スイッチ２０がオフにされた状態で、半導体スイッチ２０と直列に接続された機械式スイッチ２１Ａをオンにする。
【００８５】
ステップＳ４０４：制御部１１は、半導体スイッチ２０をオンにする。
【００８６】
ステップＳ４０５：制御部１１は、半導体スイッチ２０がオンにされた状態で、半導体スイッチ２０に対して並列に接続された機械式スイッチ２１Ｂをオフにする。
【００８７】
ステップＳ４０６：制御部１１は、蓄電池３の電圧に基づいて、中間リンクの電圧を蓄電池の電圧よりも高くする。このとき、蓄電池３は充電モードとされ得る。
【００８８】
ステップＳ４０７：制御部１１は、半導体スイッチ２０をオフにする。
【００８９】
ステップＳ４０８：制御部１１は、蓄電池３の電圧に基づいて、中間リンクの電圧を蓄電池の電圧よりも低くする。
【００９０】
ステップＳ４０９：制御部１１は、半導体スイッチ２０がオフにされた状態で、半導体スイッチ２０と直列に接続された機械式スイッチ２１Ａと、機械式スイッチ２１Ｃとをオフにする。これによって、電力制御装置１０の全ての機械式スイッチ２１Ａ、２１Ｂ、及び２１Ｃがオフとされる。即ち、蓄電池３と電力制御装置１０とは物理的に切り離される。
【００９１】
（スイッチ回路の変形例２）
図７に、スイッチ回路１６の第１の変形例であるスイッチ回路１６−２を含む電力制御システム１を示す。図７のスイッチ回路１６−２には、１つの半導体スイッチ２０と、３つの機械式スイッチ２１Ａ、２１Ｂ、及び２１Ｃとが含まれている。スイッチ回路１６−２において、半導体スイッチ２０は、ドレイン端子がインバータ１４の正極端子に、ソース端子が蓄電池３の正極端子にそれぞれ通電可能に接続されている。半導体スイッチ２０及び機械式スイッチ２１Ａは、インバータ１４の正極端子と蓄電池３の正極端子とを接続する電路において直列に接続されている。機械式スイッチ２１Ｂは、半導体スイッチ２０と並列に接続されている。機械式スイッチ２１Ｃは、インバータ１４の負極端子と蓄電池３の負極端子とを結ぶ電路に設けられている。
【００９２】
スイッチ回路１６−２を用いて、電力制御装置１０の中間リンクに蓄電池３を接続する処理の流れを説明する。本処理は、電力制御装置１０の機械式スイッチ２１が全てオフとされている状態で開始されるものとする。即ち、蓄電池３と電力制御装置１０とは物理的に切り離されているものとする。また、半導体スイッチ２０はオフとされているものとする。本処理は、スイッチ回路１６を用いた処理と比べて、中間リンクに蓄電池３を接続された際に機械式スイッチ２１Ａがオンとされている点で異なる。
【００９３】
ステップＳ５０１：制御部１１は、蓄電池３の電圧と、中間リンクの電圧とを測定する。
【００９４】
ステップＳ５０２：制御部１１は、蓄電池３の電圧に基づいて、中間リンクの電圧を蓄電池３の電圧よりも高くする。
【００９５】
ステップＳ５０３：制御部１１は、半導体スイッチ２０がオフにされた状態で、半導体スイッチ２０と直列に接続された機械式スイッチ２１Ａと、機械式スイッチ２１Ｃとをオンにする。
【００９６】
ステップＳ５０４：制御部１１は、蓄電池３の電圧に基づいて、中間リンクの電圧を蓄電池３の電圧よりも低くする。このとき、蓄電池３は放電モードとされ得る。
【００９７】
ステップＳ５０５：制御部１１は、半導体スイッチ２０をオンにする。
【００９８】
ステップＳ５０６：制御部１１は、蓄電池３の電圧に基づいて、中間リンクの電圧を蓄電池３の電圧と略等しくする。このとき、蓄電池３は充電モードとされ得る。
【００９９】
ステップＳ５０７：制御部１１は、半導体スイッチ２０がオンにされた状態で、半導体スイッチ２０に対して並列に接続された機械式スイッチ２１Ｂをオンにする。
【０１００】
ステップＳ５０８：制御部１１は、半導体スイッチ２０をオフにする。これによって、電力制御装置１０の機械式スイッチ２１Ａ、２１Ｂ、及び２１Ｃがオンとされる。即ち、蓄電池３と電力制御装置１０とが通電可能に接続される。
【０１０１】
スイッチ回路１６−２を用いて、電力制御装置１０の中間リンクから蓄電池３を切り離す処理の流れを説明する。本処理は、電力制御装置１０の機械式スイッチ２１Ａ、２１Ｂ及び２１Ｃがオンにされている状態で開始されるものとする。即ち、蓄電池３と電力制御装置１０とが通電可能に接続されているものとする。また、半導体スイッチ２０はオフとされているものとする。
【０１０２】
ステップＳ６０１：制御部１１は、蓄電池３の電圧と、中間リンクの電圧とを測定する。
【０１０３】
ステップＳ６０２：制御部１１は、インバータ１４の変調率を制御して、蓄電池３の電圧と中間リンクの電圧とを略等しくする。このとき、蓄電池３は充電モードとされ得る。
【０１０４】
ステップＳ６０３：制御部１１は、半導体スイッチ２０をオンにする。
【０１０５】
ステップＳ６０４：制御部１１は、半導体スイッチ２０がオンにされた状態で、半導体スイッチ２０に対して並列に接続された機械式スイッチ２１Ｂをオフにする。
【０１０６】
ステップＳ６０５：制御部１１は、蓄電池３の電圧に基づいて、中間リンクの電圧を蓄電池の電圧よりも低くする。このとき、蓄電池３は放電モードとされ得る。
【０１０７】
ステップＳ６０６：制御部１１は、半導体スイッチ２０をオフにする。
【０１０８】
ステップＳ６０７：制御部１１は、蓄電池３の電圧に基づいて、中間リンクの電圧を蓄電池の電圧よりも高くする。
【０１０９】
ステップＳ６０８：制御部１１は、半導体スイッチ２０がオフにされた状態で、半導体スイッチ２０と直列に接続された機械式スイッチ２１Ａと、機械式スイッチ２１Ｃとをオフにする。これによって、電力制御装置１０の全ての機械式スイッチ２１Ａ、２１Ｂ、及び２１Ｃがオフとされる。即ち、蓄電池３と電力制御装置１０とは物理的に切り離される。
【０１１０】
（スイッチ回路の変形例３）
図８に、スイッチ回路１６の第３の変形例であるスイッチ回路１６−３を含む電力制御システム１を示す。図８のスイッチ回路１６−３には、２つの半導体スイッチ２０Ａ及び２０Ｂと、３つの機械式スイッチ２１Ａ、２１Ｂ、及び２１Ｃとが含まれている。スイッチ回路１６−３において、半導体スイッチ２０Ａ及び２０Ｂは、互いのドレイン端子が接続されるように、インバータ１４の正極端子と、蓄電池３の正極端子とを結ぶ電路において直列に接続されている。機械式スイッチ２１Ａ及び２１Ｂは、半導体スイッチ２０Ａ及び２０Ｂのそれぞれと並列に接続されている。機械式スイッチ２１Ｃは、インバータ１４の負極端子と蓄電池３の負極端子とを結ぶ電路に設けられている。
【０１１１】
スイッチ回路１６−３を用いて、電力制御装置１０の中間リンクに蓄電池３を接続する処理及び切り離す処理の流れを説明する。制御部１１は、中間リンクの電圧が蓄電池３の電圧よりも高い場合、寄生ダイオードに順バイアスがかかり得る半導体スイッチ２０Ｂと並列に接続された機械式スイッチ２１Ｂを接続する。これによって、制御部１１は、スイッチ回路１６及びスイッチ回路１６−２と略同様の処理を行うことによって、電力制御装置１０の中間リンクに蓄電池３を接続し、或いは切り離し得る。
【０１１２】
一方で、制御部１１は、蓄電池３の電圧が中間リンクの電圧よりも高い場合、寄生ダイオードに順バイアスがかかり得る半導体スイッチ２０Ａと並列に接続された機械式スイッチ２１Ａを接続する。これによって、制御部１１は、スイッチ回路１６−１と略同様の処理を行うことによって、電力制御装置１０の中間リンクに蓄電池３を接続し、或いは切り離し得る。
【０１１３】
（スイッチ回路の変形例４）
図９に、スイッチ回路１６の第４の変形例であるスイッチ回路１６−４を含む電力制御システム１を示す。図９のスイッチ回路１６−４には、４つの半導体スイッチ２０Ａ、２０Ｂ、２０Ｃ及び２０Ｄと、１つの機械式スイッチ２１とが含まれている。スイッチ回路１６−４において、半導体スイッチ２０Ａ及び２０Ｂは、互いのドレイン端子が接続されるように、インバータ１４の正極端子と、蓄電池３の正極端子とを結ぶ電路において直列に接続されている。更に、半導体スイッチ２０Ｃは半導体スイッチ２０Ｃと、半導体スイッチ２０Ｄは半導体スイッチ２０Ｂとに、ソース端子とドレイン端子との向きが逆になるように並列に接続されている。機械式スイッチ２１は、インバータ１４の負極端子と蓄電池３の負極端子とを結ぶ電路に設けられている。
【０１１４】
スイッチ回路１６−４を用いて、電力制御装置１０の中間リンクに蓄電池３を接続する処理及び切り離す処理の流れを説明する。制御部１１は、中間リンクの電圧が蓄電池３の電圧よりも高い場合、寄生ダイオードに順バイアスがかかり得る半導体スイッチ２０Ｂと並列に接続された半導体スイッチ２０Ｄを接続する。これによって、制御部１１は、スイッチ回路１６−３と同様の処理を行うことによって、電力制御装置１０の中間リンクに蓄電池３を接続し、或いは切り離し得る。
【０１１５】
一方で、制御部１１は、蓄電池３の電圧が中間リンクの電圧よりも高い場合、寄生ダイオードに順バイアスがかかり得る半導体スイッチ２０Ａと並列に接続された半導体スイッチ２０Ｃを接続する。これによって、制御部１１は、スイッチ回路１６−３と同様の処理を行うことによって、電力制御装置１０の中間リンクに蓄電池３を接続し、或いは切り離し得る。
【０１１６】
以上述べたように、本実施形態に係る電力制御装置１０は、インバータ１４と、スイッチ回路１６と、制御部１１と、を備える。インバータ１４は、太陽電池２等の分散電源及び蓄電池３から供給される直流電力を交流電力に変換する。スイッチ回路１６は、蓄電池３とインバータ１４とを通電可能に接続する。制御部１１は、蓄電池３とインバータ１４との接続又は切り離しを行う際に、蓄電池３の電圧に基づいて、インバータ１４とスイッチ回路１６とを結ぶ電路の電圧、即ち中間リンクの電圧を制御する。制御部１１は、蓄電池３の電圧と中間リンクの電圧とに基づいて、スイッチ回路１６を制御する。かかる構成によれば、電力制御装置１０は、蓄電池３の電圧と中間リンクの電圧とに基づいて、スイッチ回路１６に含まれるスイッチにかかる電圧を制御した上で、蓄電池３を電力制御装置１０に接続し、或いは電力制御装置１０から切り離すことができる。これにより、蓄電池３と電力制御装置１０の中間リンクとの間にＤＣ／ＤＣコンバータを介すことなく、電力制御装置１０を含む電力制御システム１の運転中においても、蓄電池３と電力制御装置１０との接続又は切り離しを行うことができる。従って、電力制御装置１０の有用性が向上する。
【０１１７】
以上述べたように、本実施形態に係る電力制御装置１０の制御部１１は、インバータ１４の変調率を制御して、インバータ１４とスイッチ回路１６とを結ぶ電路の電圧を制御する。これにより、蓄電池３と電力制御装置１０の中間リンクとの間にＤＣ／ＤＣコンバータを介すことなく、スイッチ回路１６に含まれるスイッチにかかる電圧を制御することができる。
【０１１８】
以上述べたように、本実施形態に係る電力制御装置１０のスイッチ回路１６には、半導体スイッチ２０と、半導体スイッチ２０と直列に接続された第１の機械式スイッチ２１Ａが含まれる。制御部１１は、半導体スイッチ２０がオフにされた状態で、第１の機械式スイッチ２１Ａを制御する。これにより、制御部１１は、蓄電池３からの突入電流、及び機械式スイッチ２１におけるアーク放電等が発生する蓋然性を低減させ得る。
【０１１９】
以上述べたように、本実施形態に係る電力制御装置１０のスイッチ回路１６には、更に、半導体スイッチ２０に対して並列に接続された第２の機械式スイッチ２１Ｂが含まれる。制御部１１は、半導体スイッチ２０がオンにされた状態で、第２の機械式スイッチ２１Ｂを制御する。これにより、制御部１１は、蓄電池３からの突入電流、及び機械式スイッチ２１におけるアーク放電等が発生する蓋然性を低減させ得る。
【０１２０】
前述の実施形態は代表的な例として説明したが、本開示の趣旨及び範囲内で、多くの変更及び置換ができることは当業者に明らかである。従って、本開示は、前述の実施形態によって制限するものと解するべきではなく、特許請求の範囲から逸脱することなく、種々の変形又は変更が可能である。例えば、各手段又は各ステップ等に含まれる機能等は論理的に矛盾しないように再配置可能であり、複数の手段又はステップ等を１つに組み合わせたり、或いは分割したりすることが可能である。
【０１２１】
例えば、前述した実施形態において、電力制御装置１０が電圧計１７及び電流計１８を備える例を示したが、この限りではない。電力制御装置１０は、太陽電池２及び蓄電池３と通信を行うことによって、太陽電池２及び蓄電池３がそれぞれ備える電圧計及び電流計の値を取得してもよい。或いは、電力制御装置１０は、太陽電池２及び蓄電池３の電圧値及び電流値を、これらの機器を管理するホームエネルギーマネジメントシステム（Home Energy Management System：ＨＥＭＳ）及びバッテリーマネジメントシステム（Battery Management System：ＢＭＳ）等から取得してもよい。
【０１２２】
例えば、前述した実施形態において、電力制御装置１０がパワーコンディショナである例を示したが、この限りではない。電力制御装置１０は、パワーコンディショナとは別体として設けられてもよい。例えば、電力制御装置１０は、ＨＥＭＳ又はＢＥＳ等に含まれてもよい。
【符号の説明】
【０１２３】
１  電力制御システム
２  太陽電池
３  蓄電池
１０  電力制御装置
１１  制御部
１２  記憶部
１３  通信部
１４  インバータ
１５  ＤＣ／ＤＣコンバータ
１６，１６−１，１６−２，１６−３，１６−４  スイッチ回路
１７  電圧計
１８  電流計
１９  ヒューズ
２０  半導体スイッチ
２１  機械式スイッチ
【図１】
2020068583.tif 000003
【図２】
2020068583.tif 000004
【図３】
2020068583.tif 000005
【図４】
2020068583.tif 000006
【図５】
2020068583.tif 000007
【図６】
2020068583.tif 000008
【図７】
2020068583.tif 000009
【図８】
2020068583.tif 000010
【図９】
2020068583.tif 000011